(57)【要約】【課題】良好な外観を実現でき、施工が容易な壁パネルと天井パネルとの接合構造を提供する。【解決手段】天井連結具１は、水平板部３，４が離間して上下に形成されている天井連結具本体２と、その天井連結具本体２の上部に、上方に突出する突設部６とを備え、突設部６は、下部に幅狭部７、上部に幅広部８を有して正面視略Ｔ字状に形成されており、天井パネル１５には、幅広溝と幅狭溝が連続して係合溝が形成されており、天井連結具本体２の上下の水平板部３，４の間に壁パネル１１の水平片１３が差し込まれた状態で天井パネル１５を落とし込み、天井廻し縁２１の挿入部２２が天井パネル１５と壁パネル１１の水平片１３との間に内側から差し込まれ、天井パネル１５の係合溝の幅広溝に天井連結具本体２上部の突設部６が挿通した状態で天井連結具１が外側方向にスライドして突設部６の幅広部８が天井パネル１５の係合溝の幅狭溝に係合される。【選択図】図１
2011069120.tif 000002
【特許請求の範囲】
【請求項１】
壁パネルの上端から外方に延びる水平片に取り付けられた天井連結具を介して天井パネルが接合される壁パネルと天井パネルとの接合構造であって、
天井連結具は、水平方向に突出する水平板部が離間して上下に形成されている側断面視略コ字形状の天井連結具本体と、その天井連結具本体の上部に、上方に突出する突設部とを備え、突設部は、下部に幅狭部、上部に幅広部を有して正面視略Ｔ字状に形成されており、天井パネルには、突設部の幅広部および幅狭部の各々が挿通可能な幅広溝と幅狭溝が形成され、それらが連続して係合溝が形成されており、天井連結具本体の上下の水平板部の間に壁パネルの水平片が差し込まれた状態で天井パネルを壁パネルの上側に落とし込み、天井連結具本体上部の突設部を天井パネルの係合溝の幅広溝に挿入させ、かつ、天井パネルの天井面を天井連結具本体の上側水平板部の上面に当接させ、天井廻し縁の水平方向に突出する挿入部が天井パネルと壁パネルの水平片との間に内側から差し込まれて天井廻し縁が嵌合され、天井廻し縁の挿入部の差し込みにより天井連結具本体の上側水平板部が外側方向に押し込まれる一方、天井パネルの係合溝の幅広溝に天井連結具本体上部の突設部が挿通した状態で天井連結具が外側方向にスライドして突設部の幅広部が天井パネルの係合溝の幅狭溝に係合して天井パネルが接合されることを特徴とする壁パネルと天井パネルとの接合構造。
【請求項２】
天井パネルの端部に下方に延びる垂下片が設けられており、天井連結具を介して壁パネルと天井パネルとが接合された状態において、天井連結具本体の後面が天井パネルの垂下片に当接されていることを特徴とする請求項１に記載の壁パネルと天井パネルとの接合構造。
【請求項３】
天井連結具が取り付けられる壁パネルの水平片の端部が切り欠かれて内側方向に延びる案内溝が設けられており、天井連結具本体の上側水平板部の下面には、前記案内溝に挿入される突起部が下方に突出して設けられていることを特徴とする請求項１または２に記載の壁パネルと天井パネルとの接合構造。
【発明の詳細な説明】
【技術分野】
【０００１】
本発明は、壁パネルと天井パネルとの接合構造に関する。
【背景技術】
【０００２】
従来、壁パネルと天井パネルとの接合構造としては、図４に示すように、壁パネル３０の立ち上がり片３１と天井パネル３２端部の垂下片３３とをビス３４にて連結して固定し、その後、天井廻し縁３５を挿入していた。
【０００３】
このような構成においては、ビス止めのために電動ドライバーを必要とするとともに電動ドライバーを使っての作業を考慮して、ビス固定部の上下方向の空間３６を大きく取る必要があった。この結果、天井廻し縁３５の大きさも大きくなり、外観が低下する問題があった。
【０００４】
そこで、この問題を解決するために、ビス止め作業を必要としない、連結具を用いた壁パネルと天井パネルとの接合構造が知られている（例えば、特許文献１、２参照）。
【０００５】
特許文献１には、壁パネルの上部裏面に突起片を有するＬ型の天井板取付金具を、突起片を室内側に向け所定距離壁パネルより上方に突出するように取付けた壁パネルを建物躯体に沿って立設するとともに、天井パネルの表面端部を天井パネルより外方に突出させ、その先端部を上方に折り曲げてなる天井パネルの折り曲げ片を、壁パネルと天井板取付金具間に嵌合させた後、断面コ字型である長尺の連結具の溝を天井板取付金具の突起片に嵌め合わせ天井パネルを固定する壁パネルと天井パネルとの接合構造が開示されている。特許文献２には、天井パネルの端部が立上げられてコ字状に折曲されて下向きに開口した溝状部とされ、前記溝状部の立上げ壁に係合孔を形成し、コ字状に折曲されて下向きに開口した連結具の外側の縦壁の下端に内方に突出する支持突条を備えるとともに内側の縦壁の下端に内方に突出する係合突出部を備え、前記壁パネルの接続受け部に天井パネルの溝状部が嵌め込まれ、前記溝状部に上から連結具が嵌め込まれ、前記連結具の外側の縦壁の支持突条が前記接続受け部の外壁下縁に係合するとともに連結具の内側の縦壁の係合突出部が上記溝状部の立上げ壁の係合孔に嵌め込まれる壁パネルと天井パネルとの接合構造が開示されている。
【先行技術文献】
【特許文献】
【０００６】
【特許文献１】特開２００６−２９９７７８号公報
【特許文献２】特開２００８−２４０３７３号公報
【発明の概要】
【発明が解決しようとする課題】
【０００７】
特許文献１，２の壁パネルと天井パネルとの接合構造は、いずれも電動ドライバー等によるビス止め作業を必要としないためその作業空間を確保する必要がなく、よって天井廻し縁をスリムにすることができ、良好な外観を実現できる。
【０００８】
しかしがなら、いずれの接合構造も、壁パネルと天井パネルとの接合に用いられる連結具が天井パネルの裏面側に配設されており、その連結具の取り付け作業が天井パネルの裏面側で行われるため、施工性の向上が望まれている。
【０００９】
本発明は以上の通りの事情に鑑みてなされたものであり、良好な外観を実現でき、施工が容易な壁パネルと天井パネルとの接合構造を提供することを課題としている。
【課題を解決するための手段】
【００１０】
本発明は以下のことを特徴としている。
【００１１】
第１には、壁パネルの上端から外方に延びる水平片に取り付けられた天井連結具を介して天井パネルが接合される壁パネルと天井パネルとの接合構造であって、天井連結具は、水平方向に突出する水平板部が離間して上下に形成されている側断面視略コ字形状の天井連結具本体と、その天井連結具本体の上部に、上方に突出する突設部とを備え、突設部は、下部に幅狭部、上部に幅広部を有して正面視略Ｔ字状に形成されており、天井パネルには、突設部の幅広部および幅狭部の各々が挿通可能な幅広溝と幅狭溝が形成され、それらが連続して係合溝が形成されており、天井連結具本体の上下の水平板部の間に壁パネルの水平片が差し込まれた状態で天井パネルを壁パネルの上側に落とし込み、天井連結具本体上部の突設部を天井パネルの係合溝の幅広溝に挿入させ、かつ、天井パネルの天井面を天井連結具本体の上側水平板部の上面に当接させ、天井廻し縁の水平方向に突出する挿入部が天井パネルと壁パネルの水平片との間に内側から差し込まれて天井廻し縁が嵌合され、天井廻し縁の挿入部の差し込みにより天井連結具本体の上側水平板部が外側方向に押し込まれる一方、天井パネルの係合溝の幅広溝に天井連結具本体上部の突設部が挿通した状態で天井連結具が外側方向にスライドして突設部の幅広部が天井パネルの係合溝の幅狭溝に係合して天井パネルが接合される。
【００１２】
第２には、上記第１の発明において、天井パネルの端部に下方に延びる垂下片が設けられており、天井連結具を介して壁パネルと天井パネルとが接合された状態において、天井連結具本体の後面が天井パネルの垂下片に当接されている。
【００１３】
第３に、上記第１または第２の発明において、天井連結具が取り付けられる壁パネルの水平片の端部が切り欠かれて内側方向に延びる案内溝が設けられており、天井連結具本体の上側水平板部の下面には、前記案内溝に挿入される突起部が下方に突出して設けられている。
【発明の効果】
【００１４】
第１の発明によれば、電動ドライバー等によるビス止め作業を必要としないためその作業空間を確保する必要がなく、よって天井廻し縁をスリムにすることができ、良好な外観を実現できる。また、壁パネルと天井パネルとの接合のための天井連結具の取り付けにあたり、天井パネルの裏面側での作業がなく、天井廻し縁の挿入部の差し込みによって天井パネルを天井連結具に接合することができるので、施工が容易である。しかも、ビスを用いないので、ビス費用を削減できるという利点も有する。
【００１５】
第２の発明によれば、天井連結具本体の後面が天井パネルの垂下片に当接されていることにより、天井連結具がぐらつかず、かつ、壁パネルの水平片から脱落するおそれがないので、より確実な壁パネルと天井パネルとの接合状態が実現できる。
【００１６】
第３の発明によれば、壁パネルの水平片の案内溝に天井連結具本体の上側水平板部の突起部が挿入されることにより、壁パネルの水平片への天井連結具の取り付けの位置決めが容易に、かつ、確実になされる。しかも、天井廻し縁の挿入部の差し込みによる天井連結具の外側方向へのスライドに際して左右方向への移動が規制されるので、より確実に天井連結具を天井パネルに係合させることができる。
【図面の簡単な説明】
【００１７】
【図１】本発明の一実施形態の壁パネルと天井パネルとの接合構造を示す要部の縦断面図である。
【図２】図１の壁パネルと天井パネルとの接合手順を示す斜視図である。
【図３】図１の壁パネルと天井パネルとの接合構造に使用される天井連結具の斜視図である。
【図４】従来の壁パネルと天井パネルとの接合構造を示す要部の縦断面図である。
【発明を実施するための形態】
【００１８】
以下、本発明の実施の形態を図面に基づいて説明する。
【００１９】
図１は、本発明の一実施形態の壁パネルと天井パネルとの接合構造を示す要部の縦断面図であり、図２は、図１の壁パネルと天井パネルとの接合手順を示す斜視図であり、図３は、図１の壁パネルと天井パネルとの接合構造に使用される天井連結具の斜視図である。
【００２０】
本実施形態の壁パネル１１と天井パネル１５との接合構造は、例えば、浴室ユニットなどのユニットルームの天井パネル１５を天井連結具１を介して壁パネル１１の上端部に取付施工するための構造を示すものである。壁パネル１１は適宜の手段によって隣接するものどうしが互いに接続されており、これにより内壁を形成している。この内壁の上端部に天井パネル１５の周縁部が上方から取り付けられる。
【００２１】
壁パネル１１は、内壁を形成する鋼板や塩化ビニル鋼板等の面板１２の裏面に断熱材４０が裏打ちされて形成されており、面板１２の上端縁が外側に直角に折曲されて水平片１３を形成している。この水平片１３の端部に天井連結具１が取り付けられるのであり、その取り付く箇所の水平片１３の端部が切り欠かれて内側方向に延びる細長の案内溝１４が形成されている。
【００２２】
天井パネル１５は、例えば、鋼板や塩化ビニル鋼板等の面板１６の裏面に断熱材４１が裏打ちされて形成されており、面板１６の外周端縁が下方に直角に折曲されて垂下片１７を形成している。この面板１６の外周端部には、係合溝１８が形成されており、後述する天井連結具１の突設部６が挿通可能とされている。係合溝１８は、矩形状の幅広溝１９が内側に形成され、この幅広溝１９の外側に矩形状の幅狭溝２０が連続して形成されており、幅広溝１９の幅をｗ１、幅狭溝２０の幅をｗ２とするとｗ１＞ｗ２の関係になっており、平面視凸型に形成されている。幅広溝１９は、天井連結具１の突設部６の幅広部８の外形形状に対応した形状を有し、幅広部８が挿通可能に形成されており、幅狭溝２０は、天井連結具１の突設部６の幅狭部７の外形形状に対応した形状を有し、幅狭部７が挿通可能に形成されている。
【００２３】
壁パネル１１と天井パネル１５との接合に用いられる天井連結具１は、硬質の合成樹脂やアルミニウム等の硬質材料から構成されている。天井連結具１は、天井連結具本体２と、その上部に上方に突出して設けられる突設部６とから構成される。天井連結具本体２は、水平方向に突出する上側水平板部３と、この上側水平板部３の下方に離間して設けられる、水平方向に突出する下側水平板部４と、これら上下の水平板部３，４を接続する垂直板部５とから形成され、側断面視略コ字形状を有している。この天井連結具本体２の上下の水平板部３，４の間に壁パネル１１の水平片１３の端部が差し込み可能になっている。
【００２４】
上側水平板部３は、矩形状の平板で構成されており、その上面３ａは天井パネル１５の天井面１５ａと当接するようになっており、平滑に形成されている。この上側水平板部３は、その突出方向の長さＬ１が下側水平板部４の長さＬ２よりも長くなっており、天井連結具１が壁パネル１１の水平片１３の端部に取り付けられたときには、その天井連結具１の取付状態がより安定化し、また、天井パネル１５の天井面１５ａとの当接面がより大きく確保されるので、天井パネル１５との接合状態もより安定化する。下側水平板部４は、左右両側に形成されており、各下側水平板部４は、矩形状の平板で構成されている。
【００２５】
突設部６は、上側水平板部３上面３ａの前側端部の中央部分に設けられている。突設部６は、正面視Ｔ字状に形成され、下部に幅狭部７、その上部に幅広部８が連続して形成されている。幅狭部７および幅広部８はそれぞれ、横断面視略矩形の柱状体で形成されている。幅広部８の柱状体は、その天井連結具１の長手方向の長さＷ１、つまり、上側水平板部３の突出方向に直角に交差する方向の長さＷ１が、幅狭部７の柱状体の長さＷ２よりも長くなっており、かつ、天井パネル１５の係合溝１８の幅狭溝２０の幅ｗ２よりも長くなっている。したがって、突設部６の幅広部８の長さＷ１、幅狭部７の長さＷ２、天井パネル１５の係合溝１８の幅広溝１９の幅ｗ１、幅狭溝２０の幅ｗ２の関係は、ｗ１≧Ｗ２＞ｗ２≧Ｗ２となっている。
【００２６】
本実施形態では、左右両側の下側水平板部４，４の間、天井連結具１の長手方向の略中央の位置の上側水平板部３の下面３ｂに、上側水平板部３の突出方向に延びる平板状の突起部９が下方に突出して設けられている。この突起部９は、天井連結具１が壁パネル１１の水平片１３の端部に取り付けられる際に、壁パネル１１の水平片１３の細長の案内溝１４に挿入される。なお、この平板状の突起部９の厚みは案内溝１４の幅よりもやや小さく設定されている。
【００２７】
また、本実施形態では、天井廻し縁２１が用いられる。この天井廻し縁２１は、長尺材であり、防水性を有する軟質の合成樹脂で構成される。天井廻し縁２１は、壁パネル１１と天井パネル１５との間に差し込まれる、水平方向に突出する挿入部２２と、壁パネル１１の上端を押さえる垂下部２３とから断面視略Ｌ字状に形成される。挿入部２２の上面および下面には、長手方向に延びる突条２４が複数条設けられており、壁パネル１１と天井パネル１５との間への差し込みおよび止水がより確実になされる。また、各突条２４は内側方向に向かって斜めに立設されており、壁パネル１１と天井パネル１５との間への差し込みを容易にするとともに抜け難くしている。垂下部２３の上下端部にはシール部２５，２６が形成され、壁パネル１１と天井パネル１５のそれぞれの端面に圧接させることにより止水される。
【００２８】
次に、壁パネル１１と天井パネル１５との接合手順を図２（ａ）〜（ｄ）を参照しながら説明する。
【００２９】
（ａ）まず、天井連結具本体２の上下の水平板部３，４の間に壁パネル１１の水平片１３の端部を差し込むようにして天井連結具１を壁パネル１１の水平片１３に取り付ける。その際、壁パネル１１の水平片１３の端部が天井連結具本体２の垂直板部５の前面に到達するまで天井連結具１を差し込む。また、天井連結具１の取り付けにあたり、天井連結具本体２の突起部９が壁パネル１１の水平片１３の案内溝１４に挿入されるようにする。これにより、天井連結具１の取り付け箇所の位置決めが容易に、かつ、確実になされる。
【００３０】
（ｂ）壁パネル１１の水平片１３に天井連結具１を取り付けた状態で、天井パネル１５を壁パネル１１の上側に落とし込む。これによって、天井連結具本体２上部の突設部６を天井パネル１５の係合溝１８の幅広溝１９に挿入するとともに、天井パネル１５の天井面１５ａを天井連結具本体２の上側水平板部３の上面３ａに当接させる。
【００３１】
（ｃ）次いで、壁パネル１１と天井パネル１５との間に天井廻し縁２１の挿入部２２を内側から差し込み、天井廻し縁２１を嵌合させる。その際、天井廻し縁２１の挿入部２２の差し込みにより天井連結具本体２の上側水平板部３が外側方向に押し込まれる一方、天井パネル１５の係合溝１８の幅広溝１９に天井連結具本体２上部の突設部６が挿通した状態で天井連結具１が外側方向にスライドする。
【００３２】
（ｄ）この天井連結具１の外側方向のスライドにより、天井連結具本体２上部の突設部６の幅広部８が天井パネル１５の係合溝１８の幅狭溝２０に係合して天井パネル１５が天井連結具１に接合される。また、天井連結具１が外側方向にスライドした状態では、天井連結具本体２の垂直板部５の後面が天井パネル１５の垂下片１７に当接されるようになっている。これによって、天井連結具１がぐらつかず、かつ、壁パネル１１の水平片１３から脱落するおそれがなくなり、より確実な壁パネル１１と天井パネル１５との接合状態が実現できる。また、天井連結具１の外側方向のスライドに際して、壁パネル１１の水平片１３の案内溝１４に天井連結具本体２の突起部（図２（ｄ）では図示せず）が挿入されているので、天井連結具１の左右方向への移動が規制される。このため、より確実に天井連結具１を天井パネル１５に係合させることができる。
【００３３】
以上の実施形態によれば、電動ドライバー等によるビス止め作業を必要としないためその作業空間を確保する必要がなく、よって天井廻し縁の大きさを大きくする必要がなくなり、良好な外観を実現できる。また、壁パネルと天井パネルとの接合のための天井連結具の取り付けにあたり、天井パネルの裏面側での作業がなく、天井廻し縁の挿入部の差し込みによって天井パネルを天井連結具に接合することができるので、施工が容易である。しかも、ビスを用いないので、ビス費用を削減できるという利点も有する。また、図４に示した従来例と比較して、天井廻し縁をスリムな構造にでき、天井廻し縁の材料費を低減できるとともにすっきりとした納まりの構造を実現できる。さらに、壁パネルの立ち上がり片が不要であり、作業者が施工時に立ち上がり片によって手を切ってしまう心配がなく、壁パネルの折り曲げ加工費も低減できる。
【符号の説明】
【００３４】
１  天井連結具
２  天井連結具本体
３  上側水平板部
３ａ  上面
４  下側水平板部
６  突設部
７  幅狭部
８  幅広部
９  突起部
１１  壁パネル
１３  水平片
１４  案内溝
１５  天井パネル
１５ａ  天井面
１７  垂下片
１８  係合溝
１９  幅広溝
２０  幅狭溝
２１  天井廻し縁
２２  挿入部
【図１】
2011069120.tif 000003
【図２】
2011069120.tif 000004
【図３】
2011069120.tif 000005
【図４】
2011069120.tif 000006